(57)【要約】【課題】採点方法の効率化を図り、試験完了後から成績集計完了及び発表までの時間を最短にするシステムを得る。【解決手段】予め採点者情報と採点者グループ情報が登録された設定データが格納されるマスタファイルを有するファイルサーバと、前記ファイルサーバとネットワークを介して接続されて解答が記入された解答用紙をスキャンするためのスキャン端末と、前記スキャン端末が読み込んだ回答データを備えるとともに採点計画情報が格納されるデータサーバと、前記データサーバとネットワークを介して接続されてスキャン端末が読み込んだデータに採点情報を付加するとともに解答用紙にも採点結果を印刷可能な採点端末と、前記採点端末と前記データサーバとの間にネットワークを介して接続されて前記データサーバのデータを転送するアプリケーションサーバとを備え、回答データが設問または設問群毎に分割されて採点されることで採点結果集計を高速で行なう。【選択図】図１
2007322748.tif 000002
【特許請求の範囲】
【請求項１】
予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記データサーバとネットワークを介して接続されてスキャン端末が読み込んだデータに採点情報を付加するとともに解答用紙にも採点結果を印刷可能な少なくとも一つの採点端末と、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末とを備え、
予め定められた採点計画情報に従って回答データ毎の対応採点端末が予め設定されるとともに回答データが設問または設問群毎に分割されて採点されることで試験終了後の採点結果集計を高速で行なうことのできる高速採点集計システム。
【請求項２】
採点計画は試験実施日と採点担当区分と採点者グループが数値で設定されていることを特徴とする請求項１記載の高速採点集計システム。
【請求項３】
予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記データサーバとネットワークを介して接続されてスキャン端末が読み込んだデータに採点情報を付加するとともに解答用紙にも採点結果を印刷可能な少なくとも一つの採点端末と、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末を用いて、
予め定められた解答分割方式がデータベースに格納される工程と、
如何なる対象のテスト結果をいずれの採点者が採点するかをあらかじめ定めておく採点計画がデータベースに格納される工程と、
解答用紙を予め定めた方式で分割して入手次第電子ファイル化してデータベースに登録される工程と、
電子ファイル状態で採点が完了される工程とを備える高速採点集計プログラム。
【請求項４】
予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末とを備え、
予め定められた採点計画情報に従って回答データ毎の対応採点端末が予め設定されるとともに回答データが設問または設問群毎に分割されて採点されることで試験終了後の採点結果集計を高速で行なうことのできる高速採点集計システムにおいて、
前記データサーバとネットワークを介して接続されてスキャン端末が読み込んだデータに採点情報を付加するとともに解答用紙にも採点結果を印刷可能な採点端末。
【発明の詳細な説明】
【技術分野】
【０００１】
記述式学力試験等の採点を行なうシステムであって、採点の効率化を向上させることで大量の学力試験結果を高速に処理する高速採点集計システム、高速採点集計プログラムならびにその採点端末を提供することにある。
【背景技術】
【０００２】
大量の試験結果を採点するために試験方式としてマークシート方式が採用されている。しかし、マークシート方式は、選択式試験であるため記述式試験と併用することは困難である。
【０００３】
そこで、大量の記述式試験に適した試験方式が既に提案されている。例えば、出願人は特許文献１において液晶画面上に解答用紙を表示させ、採点後に採点結果が表示されるようにすることで記述式試験の解答用紙を効率的に採点する方法を提案している。ここでは、採点結果をデータとしてネットワークで送信することができる機能も採りいれている。
【０００４】
また、他の出願人により特許文献２では、解答をスキャナ部で読み取り文献２の図１０に示すように解答と正解を対比して並べることで記述式試験の解答の採点に便宜を図る方法が提案されている。
【０００５】
さらに、特許文献３では採点業務用のサーバを設立し、複数の採点者が採点するシステムが提案されている。特に文献３のシステムでは採点に当って、答案用紙のレイアウトと採点画面とを略同じようにすることで直感的な作業が可能なシステムを提供している。
【０００６】
【特許文献１】特開２００４−３６１７５５号公報
【特許文献２】特開平９−６８９１９号公報
【特許文献３】特開２００２−２５１１２７号公報
【発明の開示】
【発明が解決しようとする課題】
【０００７】
しかし、これらの特許文献に提案されている方式では、より早い採点と結果公表を行なうためには充分ではなかった。
【０００８】
特許文献１に示される採点装置を活用する場合は、採点は受験者が回答した解答用紙を閲覧しながら採点するために、採点対象の解答用紙はかならず採点装置の手元まで輸送する必要が生じていた。すなわち、輸送中は当然採点が困難であるため採点結果を得るためには輸送時間と採点時間が必要である。
【０００９】
特許文献２に示される採点装置を活用する場合は、イメージを採点するため解答用紙は必ずしも答案採点処理装置で採点する場合に必要ではなく、解答用紙が到着せずともイメージが到着すればよい。但し、特許文献２で示される技術ではＦＡＸ、ビデオによるイメージであるため必ずしも伝送速度は高くない。すなわち、ＦＡＸ等の伝送速度×枚数＋採点時間が必要である。
【００１０】
さらに、特許文献３は、答案用紙はＰＤＦの答案情報ファイルが提案されているため、ＰＤＦへの変換時間＋転送時間＋採点時間であり、複数の採点クライアントによって必要な採点時間は削減されつつある。
【００１１】
しかし、さらに採点時間を削減するためには、特許文献３の図４に示されるような解答用紙のデリバリを行なわず、さらに効率的な採点を行なう必要がある。
【００１２】
そこで、本発明の目的は採点方法の効率化を図り、試験完了後から成績集計完了及び発表までの時間を最短にする高速採点集計システム、高速採点集計プログラムならびにその採点端末の提供にある。
【課題を解決するための手段】
【００１３】
本発明の第一の側面は、予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記データサーバとネットワークを介して接続されてスキャン端末が読み込んだデータに採点情報を付加するとともに解答用紙にも採点結果を印刷可能な少なくとも一つの採点端末と、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末とを備え、
予め定められた採点計画情報に従って回答データ毎の対応採点端末が予め設定されるとともに回答データが設問または設問群毎に分割されて採点されることで試験終了後の採点結果集計を高速で行なうことのできる高速採点集計システムを提供する。
【００１４】
採点計画は試験実施日と採点担当区分と採点者グループが数値で設定されてもよい。
【００１５】
本発明の第二の側面である高速採点集計プログラムは、予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記データサーバとネットワークを介して接続されてスキャン端末が読み込んだデータに採点情報を付加するとともに解答用紙にも採点結果を印刷可能な少なくとも一つの採点端末と、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末を用いて、
予め定められた解答分割方式がデータベースに格納される工程と、
如何なる対象のテスト結果をいずれの採点者が採点するかをあらかじめ定めておく採点計画がデータベースに格納される工程と、
解答用紙を予め定めた方式で分割して入手次第電子ファイル化してデータベースに登録される工程と、
電子ファイル状態で採点が完了される工程とを備える。
【００１６】
さらに本発明の第三の側面である採点端末は、予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末とを備え、
予め定められた採点計画情報に従って回答データ毎の対応採点端末が予め設定されるとともに回答データが設問または設問群毎に分割されて採点されることで試験終了後の採点結果集計を高速で行なうことのできる高速採点集計システムにおいて、
前記データサーバとネットワークを介して接続されてスキャン端末が読み込んだデータに採点情報を付加するとともに解答用紙にも採点結果を印刷可能である。
【発明の効果】
【００１７】
本発明の第一の側面は、予め採点者情報と採点者グループ情報が登録された設定データが格納されるマスタファイルを有するファイルサーバと、
前記ファイルサーバとネットワークを介して接続されて解答が記入された解答用紙をスキャンするために回答用紙の回収位置に設置される少なくとも一つのスキャン端末と、
前記スキャン端末とネットワークを介して接続されてスキャン端末が読み込んだ回答データを備えるとともに採点計画情報が格納されるデータサーバと、
前記データサーバとネットワークを介して接続されてスキャン端末が読み込んだデータに採点情報を付加するとともに解答用紙にも採点結果を印刷可能な少なくとも一つの採点端末と、
前記採点端末と前記データサーバとの間にネットワークを介して接続されて前記データサーバのデータを転送するアプリケーションサーバと、
前記アプリケーションサーバとネットワークを介して接続されて前記各サーバと前記各端末を制御する管理端末とを備え、
予め定められた採点計画情報に従って回答データ毎の対応採点端末が予め設定されるとともに回答データが設問または設問群毎に分割されて採点されることで試験終了後の採点結果集計を高速で行なうことのできる高速採点集計システムを採用することで、複数の拠点で試験が実施された場合にも解答用紙を移動することなく採点に着手でき、さらに採点計画に従って複数の採点端末での採点を同時並行で行なうことができるため採点時間の短縮を図ることができる。
【発明を実施するための最良の形態】
【００１８】
以下、図面を用いて本発明の実施の形態を詳細に説明する。
【００１９】
図１は、本発明の高速採点集計システムの一実施例の構成図を示す。図１の高速採点集計システム２は、ファイルサーバ４、データサーバ６、アプリケーションサーバ８、ネットワークハードディスク１０、スキャンＰＣ１２、１４、管理ＰＣ１６、専用採点端末１８、２０が、ネットワークとしてのインターネット２２を介して接続されている。
【００２０】
ファイルサーバ４は、図２に示すように複数のマスタディスクが接続される。複数のマスタディスクである運用設定定義ファイル２４は、ネットワーク設定ファイルマスタ２６、採点設定マスタファイル２８、配点設定マスタファイル３０、教室マスタファイル３２、ナビゲーション情報ファイル３４、および採点者マスタ３６から構成される。
【００２１】
ネットワーク設定ファイルマスタ２６は、ファイルサーバ４、データサーバ６、アプリケーションサーバ８等サーバのIPアドレスと、各ユーザＩＤと、各ユーザのパスワードとから構成される。さらに日付ディレクトリが存在する。
【００２２】
採点設定マスタファイル２８は、入力可能な受験者区分情報である区分チェックデータと、採点ミス防止のため採点者に注意を促す基準点を示した得点下限チェックデータと、群採点方式におけて２問以上の許可する採点結果組み合わせを示す表記点チェックデータと、採点者のために採点するテストのタイトルを表示する起動画面メッセージデータが格納される。
【００２３】
配点設定マスタファイル３０は、分担区分と採点区分毎の設定ファイルと問題毎のテストの配点と、問題毎の「○」及び「×」及び「レ」点による採点結果の印字位置座標と、同じく採点結果の印字サイズと、誤答入力の許可データと、各工程のナビゲーション情報である問題の設問番号毎の順序情報と回答用紙上の位置情報と回答欄のサイズ情報を予め登録し、各プログラム実行時に必要に応じて採点すべき回答欄の近傍に採点者向けに赤丸等のマーカーを表示するよう設定が記録格納される。なお、合計得点に関しては位置固定で印刷されるように設定されている。
【００２４】
また、誤答入力の許可データの許可データとは、採点結果および生徒の解答記入内容を記入できるデータである。予め０と入力されて設定されると入力無しとみなし、１以上の値で設定されている場合はその数字のバイト数分の入力が可能となる。また、誤答のみでなく正答の入力も可能である。
【００２５】
さらに、分担区分は、５区分あって、（１）１区分の問題を採点者が単独で解答用紙１枚ごとに採点することとなる分担なし単独採点方式と、（２）１区分の問題を複数の採点者で分担して採点するが各自は1枚総てを採点する分担あり通し採点方式と、（３）解答用紙データを分割して各採点者は特定の問題のみを採点する分割採点方式と、（４）解答用紙データを分割して解答をＯＣＲ等でテキスト化して採点機が画像処理により特徴を認識して比較して採点する分割自動採点方式と、（５）試験問題上で同一設問中の解答を纏めてデータ分割して郡ごとに別の採点者が採点する群採点方式である。
【００２６】
また、採点区分は２区分あって、「○」、「×」、「レ」を除く採点である評点を付する採点のない（１）無評点採点と、評点を採点を付する（２）評点採点である。これらの区分は各解答用紙データをいずれの区分で採点するかを示す項目である。
【００２７】
教室マスタファイル３２は、各テストが実施された場所を示すのが教室マスタファイルであり、各教室に複数のアルファベットからなる記号が振られており教室名と記号が格納される。
【００２８】
ナビゲーション情報ファイル３４は、スキャンされた１枚の画像を分割する際に必要となる、切り出し位置の座標情報(位置とサイズ情報)が記録格納されている。
【００２９】
採点者マスタ３６は、項目としては採点者ＩＤ、ログイン用パスワード、採点者氏名日本語、採点者氏名ローマ字採点グループ名、採点者担当情報として、学年、科目、採点パターン、群番号が登録される。
【００３０】
データベースサーバ６は、図３に示すように採点グループマスタ３８、採点計画マスタ４０、テスト／テスト状態ファイルマスタ４２、問題個別マスタ４４、ネットワーク設定マスタ４６、区分チェックマスタ４８、エラーテーブル５０、採点設定マスタファイル５２、答案採点結果／問題採点結果５６、教室マスタ５８、配点設定管理マスタ６０、問題位置マスタ６２、採点ファイル６４、問題基本マスタ６６および採点者マスタ７０から構成される。
【００３１】
採点グループマスタ３８は、採点グループＩＤと採点グループ名が格納されるデータベースである。
【００３２】
採点計画マスタ４０は、試験が実施される試験実施日、試験対象学年、試験科目、採点時の分担区分、試験実施会場の教室、同一学年の同一科目であって難易度別やカテゴリやテーマ別に用意される複数のテストパターン及び採点グループＩＤから構成される。
【００３３】
テスト／テスト状態ファイルマスタ４２は、試験実施日、試験対象学年、試験科目、テストパターンから構成される。
【００３４】
問題個別マスタ４４は、配点設定マスタで自動採点問題と指定された問題であり、試験実施日と、試験対象学年と、試験科目と、テストパターンと、問題番号と、回答と、分割と群と自動のいずれかの採点パターンと、評点入力と、誤答入力桁数と、表記点と、配点等の問題1問に対する基礎情報が保存されるテーブルとから構成される。
【００３５】
ネットワーク設定マスタ４６は、ネットワーク設定ファイルマスタ２６と同じくファイルサーバ４、データサーバ６、アプリケーションサーバ８等サーバのＩＰアドレスと、各ユーザＩＤと、各ユーザのパスワードとから構成される。ネットワーク設定ファイルマスタ２６からダウンロードされて同一のデータとなる。
【００３６】
区分チェックマスタ４８は、採点設定マスタファイル２８と同様であり、入力可能な受験者区分情報である区分チェックデータと、採点ミス防止のため採点者に注意を促す基準点を示した得点下限チェックデータと、群採点方式におけて２問以上の許可する採点結果組み合わせを示す表記点チェックデータと、採点者のために採点するテストのタイトルを表示する起動画面メッセージデータが格納される。
【００３７】
エラーテーブル５０は、受験番号が重複したデータを格納するデータベースである。
【００３８】
採点設定マスタファイル５２は、採点者の分担区分情報である区分チェックデータと、採点ミス防止のため採点者に注意を促す基準点を示した得点下限チェックデータと、群採点方式におけて２問以上の許可する採点結果組み合わせを示す表記点チェックデータと、採点者のために採点するテストのタイトルを表示する起動画面メッセージデータが格納される。
【００３９】
答案採点結果／問題採点結果５６は、採点者名、採点者ＩＤ，採点区分、分担区分、採点された回答用紙データとからなる構成を備える。
【００４０】
教室マスタ５８は、教室マスタファイル３２と同様であり、各テストが実施された場所を示すのが教室マスタファイルであり、各教室に複数のアルファベットからなる記号が振られており教室名と記号が格納される。
【００４１】
配点設定管理マスタ６０は、配点設定マスタファイル３０と同様であり、分担区分と採点区分毎の設定ファイルが格納される。
【００４２】
問題位置マスタ６２は、スキャナで読み込んだ実施されていない試験問題の解答用紙における解答欄の４角の座標情報が登録される。
【００４３】
採点ファイル６４は、採点答案画像データと、ヘッダ・データである受験者番号、試験実施日、試験実施教室コード、試験対象学年、試験科目、テストパターン、室生区分から構成される。
【００４４】
問題基本マスタ６６は、問題個別マスタが問題１問に対する詳細に対して、問題基本マスタは解答用紙１枚に対する基礎情報を格納している。項目としては試験日、学年、科目、テストパターンを主キーとして、問題数と、満点値とそれぞれＡ点とＢ点とが別々に格納されるテーブルとなる。
【００４５】
採点者マスタ７０は、採点者マスタ３６と同様に項目としては採点者にＩＤ、ログイン用パスワード、採点者氏名日本語、採点者氏名ローマ字採点グループ名、採点者担当情報として、学年、科目、採点パターン、群番号が登録される。
【００４６】
アプリケーションサーバ８は専用採点端末１８、２０とネットワークを介して接続されるとともに採点者マスタ３６と接続される。アプリケーションサーバ８は、専用採点端末１８、２０の採点者マスタ３６へのアクセスを制御するサーバである。
【００４７】
ネットワークハードディスク１０は、ネットワークに直接接続されて他の端末やサーバから読出と書込が可能なハードディスクである。整理番号と画像データが格納される。
【００４８】
スキャンＰＣ１２、１４は、いわゆるパーソナルコンピュータにスキャナ装置１３、１５が接続されたものであり、インターネット２２に接続されている。
【００４９】
管理ＰＣ１６は、いわゆるパーソナルコンピュータであり、インターネット２２に接続されている。さらに、管理メニューとして開始される採点システムを管理する管理プログラム７２が搭載される。
【００５０】
専用採点端末１８、２０について、図４にそのブロックダイヤグラムを示す。専用採点端末１８、２０の本体８０は、ＣＰＵ８２と液晶画面８４とタッチパネル８６と、答案用紙８８と、印刷部９０と、キーボード９２と、ネットワーク接続装置９４と、ＨＤＤ９６とから構成される。
【００５１】
ＣＰＵ８２は専用採点端末１８、２０の本体８０は制御手段としてシステム全体を制御する。ＣＰＵ８２は図示しない内部記憶装置を内蔵し、イメージデータや採点結果を一時的に保存し、各種処理を行なう際に利用する。
【００５２】
液晶画面８４は、ＣＰＵ８２と接続されており、解答用紙を表示できる大きさであり、かつ解像度を有していればよく、入力文字情報や解答用紙画像情報さらには採点結果情報を表示するディスプレーである。
【００５３】
タッチパネル８６は、液晶画面８４と重ねて設置される薄型でかつ透明である入力部である。
【００５４】
印刷部９０は、ＣＰＵ８２に接続しており、解答用紙に採点結果を印字するための装置である。
【００５５】
１０キー＋○、×、レ、実行、矢印キーボード９２は、ＣＰＵ８２と接続されており、データの登録と採点に必要なキーボードから構成される。特に数字を入力する０〜９が入力可能な１０キーと、「○」入力キーと、「×」入力キーと、「レ」入力キー、「実行」キー、「矢印」キーから構成される。
【００５６】
ネットワーク接続装置９４は、ＣＰＵ８２と接続されインターネット２２と接続される装置であって、具体的にはＬＡＮカード等である。
【００５７】
ＨＤＤ９６は、解答用紙画像データを格納するためのハードディスクドライブであり、ＣＰＵ８２に接続される。答案イメージデータやその他のデータとアプリケーションプログラムが格納される磁気ディスクが内蔵された記憶装置である。
【００５８】
以下、本発明の高速採点集計システムの処理について図面を参照しつつ説明する。高速採点集計システムは、特に３種類の装置である管理ＰＣ１６とスキャンＰＣ１２、１４と専用採点端末１８、２０で実行されるプログラムによって処理される。主に、管理ＰＣ１６で実行される管理メニュープログラム１００と、スキャンＰＣ１２、１４で実行されるデータ分割プログラム９８、解答読込プログラム１０２、さらに専用採点端末１８、２０で実行される採点プログラム１０４、誤答入力プログラム１０６、採点入力プログラム１０８によって処理される。これらのプログラムは追って、フローチャートを用いて説明する。
【００５９】
図５に示すように管理メニュープログラム１００は、１３のプログラムから構成され、管理ＰＣ１６において管理メニュープログラム１００を起動すると管理メニュー画面が表示される。管理メニュー画面には、アップロードプログラム１２０、採点グループ登録・削除プログラム１２２、採点者登録・削除プログラム１２４、テスト登録・削除１２６、採点計画プログラム１２８、解答登録プログラム１３０、採点ファイル作成プログラム１３２、ＰＤＦ作成プログラム１３４、ＰＤＦ印刷プログラム１３６、採点進捗照会プログラム１３８、ＰＤＦ進捗照会プログラム１４０、採点確定・取消プログラム１４２、動作環境設定プログラム１４４の各ボタンが配置され、いずれかのボタンが選択されることで各プログラムが実行される。また、終了ボタン１２８が選択されれば管理メニュープログラム１００が終了する。
【００６０】
さらに、本発明の高速採点集計システムの処理の手順の順序に従って、図６〜図２８のフローチャートおよび図２９〜３４の各表示画面を用いて説明する。
【００６１】
第一に解答用紙のイメージデータと各解答の位置情報の読込をスキャンＰＣが行なうデータ分割プログラム９８について図６と図２９を参照して説明する。データ分割プログラム９８が実行されると、解答用紙のスキャンが要求されて解答用紙がスキャナ装置１３、１５によってスキャニングされる（ＳＡ２）。
【００６２】
スキャニングされた解答用紙のイメージデータは図２９に示すようにスキャンＰＣ１２、１４の画面上に表示される（ＳＡ４）。
【００６３】
データ分割プログラム９８は、ここで採点を複数の回答を一括して問い合わせする群採点方式を採用するか、採点を設問毎に個別に採点する分割採点を採用するか待ち受け状態となる（ＳＡ６）。
【００６４】
群採点方式を選択するボタンが選択された場合は、群単位の採点のための回答位置座標を定めるマウスドラッグによる選択入力と郡番号の入力を待ち受ける（ＳＡ８）。
【００６５】
分割採点方式を選択するボタンが選択された場合は、設問毎の採点のための回答位置座標を定めるマウスドラッグによる選択入力と設問番号との関連付け入力を待ち受ける（ＳＡ１０）。
【００６６】
マウスドラッグによって群毎の切出し位置座標または各設問の位置座標情報と設問番号情報の定義ファイルを生成する（ＳＡ１２）。
【００６７】
生成した定義ファイルを図２９に示すように配点設定マスタ３０とナビゲーション情報ファイル３４に格納する（ＳＡ１４）。いずれのデータも、設問番号と設問順序と回答箇所位置情報とマーカ指示情報とからなる。
【００６８】
この工程によって、各設問または群毎の解答用紙上の位置情報がデータベース化される。
【００６９】
第二に図７にファイルサーバ４と、データサーバ６とのデータ上の同期について示す。まずは、管理メニュー表示へアップロードボタンが選択される（ＳＢ２）。その結果、アップロードボタン画面が管理ＰＣ１６上に表示される（ＳＢ４）。
【００７０】
アップロードプログラム１２０は、ファイルサーバ４から運用設定定義ファイル名称を総て読込む。ダウンロードした各マスタ名称をアップロードボタン画面に表示する（ＳＢ６）。
【００７１】
全データダウンロードと選択データのみのダウンロードと選択データのみを消去のいずれかの選択待ちとなる（ＳＢ８）。
【００７２】
全データダウンロードが選択された場合は、全てのマスタデータをデータベースサーバ６のデータベース３７に複写する（ＳＢ１０）。
【００７３】
ここで、運用設定定義２４とデータベース３７にこれらのデータは格納される。
【００７４】
選択データのみのダウンロードが選択された場合は、選択されたマスタをデータベースサーバ６にダウンロードする（ＳＢ１２）。
【００７５】
さらに選択データのみを消去が選択された場合は、選択されたデータベースサーバ６の選択されたマスタを消去する（ＳＢ１４）。戻りボタンによって管理メニューに戻る（ＳＢ１６）。
【００７６】
第三に、図８に複数の採点者をグループとして登録するためのプログラムについてのフローチャートを示す。
【００７７】
まずは、管理メニュー表示へ採点グループ登録・削除ボタンが選択される（ＳＣ２）。その結果、採点グループ登録・削除入力表示画面が管理ＰＣ１６上に表示される（ＳＣ４）。
【００７８】
採点グループ登録・削除ボタンを待ち受ける（ＳＣ６）。ここで、未入力の場合は、ＳＣ６を再度繰り返しとなる。
【００７９】
登録ボタンが選択された場合は、採点グループＩＤと採点グループ名が採点者グループマスタ３８に登録される（ＳＣ８）。
【００８０】
第四に図９に採点者登録プログラムのフローチャートを示す。管理メニュー表示へ採点者登録・削除ボタンが選択される（ＳＤ２）。その結果、採点者登録・削除入力表示画面が管理ＰＣ１６上に表示される（ＳＤ４）。
【００８１】
採点者登録・削除ボタンを待ち受ける（ＳＤ６）。登録が選択された場合は、採点者登録・削除入力表示画面に採点者ＩＤ、氏名、パスワード、採点グループＩＤが入力される（ＳＤ８）。ここで、登録ボタンが選択されると採点者マスタ７０に格納される（ＳＤ１０）。
【００８２】
一方、削除ボタンが選択される場合は、選択された採点者情報が削除される。
【００８３】
第五に図１０に示すようにテスト登録・テスト登録削除プログラムについてフローチャートを示す。
【００８４】
管理メニュー表示へテスト登録・削除ボタンが選択される（ＳＥ２）。その結果、テスト登録・削除入力表示画面が管理ＰＣ１６上に表示される（ＳＥ４）。
【００８５】
テスト登録・削除入力表示画面では、試験日、試験対象学年、試験科目、テストパターンが入力される（ＳＥ６）。
【００８６】
上記データが入力されるとテスト登録またはテスト削除ボタンの入力待ち受けとなる（ＳＥ８）。未入力の場合は再び待ち受け状態となる。テスト登録ボタンが選択された場合は、先に入力された項目がテスト／テスト状態ファイルマスタ４２に登録される（ＳＥ１０）。
【００８７】
テスト削除ボタンが選択された場合は、選択されたテスト項目がテスト／テスト状態ファイルマスタ４２から削除される（ＳＥ１２）。この登録によって試験実施前にテスト項目の把握が可能となる。
【００８８】
第六に図１１に示すように採点計画プログラム１２８についてフローチャートを示す。
【００８９】
管理メニュー表示へ採点計画ボタンが選択される（ＳＦ２）。その結果、採点計画入力表示画面が管理ＰＣ１６上に表示される（ＳＦ４）。
【００９０】
採点計画プログラム１２８は、テスト／テスト状態ファイルマスタ４２を読込、採点グループマスタ３８読込を行なう（ＳＦ６）。詳細には試験実施日、テスト、教室コード、室生区分、採点グループ表示が入力される（ＳＦ８）。
【００９１】
上記データが入力されると採点計画または採点計画削除ボタンの入力待ち受けとなる（ＳＦ１０）。登録ボタンが選択された場合は、読込まれた試験実施日、テスト、教室コード、室生区分、採点グループ表示情報が採点計画マスタ４０に格納される（ＳＦ１２）。
【００９２】
一方、削除ボタンが選択された場合は、採点計画マスタ４０から選択されていたテスト項目が削除される（ＳＦ１４）。この計画がテスト採点前に予め決定されることで、テスト実施後に採点を直ちに開始することができる。
【００９３】
第七に図１２に示すように解答登録プログラム１３０についてフローチャートを示す。
【００９４】
管理メニュー表示へ解答登録ボタンが選択される（ＳＧ２）。その結果、解答登録入力表示画面が管理ＰＣ１６上に表示される（ＳＧ４）。ここで、解答登録プログラム１３０は、問題個別マスタ４４から、試験実施日、学年、科目、テストパターンを抽出するが、配点設定マスタファイル３０より自動採点問題として指定されている問いのみを解答登録入力表示画面に表示する。さらに自動採点問題として指定されている問いに対する模範解答が入力される（ＳＧ６）。
【００９５】
ここで、上記データが入力されると模範解答の登録ボタンの入力待ち受けとなる（ＳＧ８）。
【００９６】
そこで、入力が無い場合は待ち受けが続けられ、登録ボタンが選択されると解答登録プログラム１３０は、上記データを模範解答をも含めて問題個別マスタ４４に格納する（ＳＧ１０）。このように処理することで自動採点用解答を予めデータとして記憶させることができる。以上により解答用紙を読込み、採点するための採点者とその採点グループが決定され、さらに自動採点用正解がデータベースに格納されることとなる。
【００９７】
次に試験が実施された後の解答をデータとして本システムに入力するためにスキャンＰＣによって読込みを行なう。
【００９８】
第八に図１３〜１４に示すように解答読込プログラム１０２についてフローチャートを示す。
【００９９】
解答用紙がスキャンＰＣ１２、１４と接続されるスキャナ装置１３、１５に解答用紙がセットされる（ＳＨ２）。続いて解答読込プログラム１０２が起動されて解答読込プログラムのメイン画面がスキャンＰＣ１２、１４に表示される（ＳＨ４）。ここで、メイン画面に試験実施日と試験会場コードと答案用紙ＩＤと室生区分記号と、通番と,読込枚数等の画像関連データが入力される（ＳＨ６）。読込開始ボタンが選択されてスキャナ装置１３、１５の読込が開始される。（ＳＨ８）。読込まれた画像データはスキャンＰＣ１２に接続される一時スキャンＰＣ一時領域９に解答用紙の画像データと画像関連データがともに格納される（ＳＨ１０）。
【０１００】
解答用紙の画像データがスキャンされた後に、「印刷」、「番号表示」、「読込継続」の選択待ちとなる（ＳＨ１２）。
【０１０１】
「印刷」が選択されると印刷画面が表示されてスキャンＰＣ１２に接続されるプリンタより解答用紙が印刷される（ＳＨ１４）。
【０１０２】
「番号表示」が選択されると、試験番号確認画面がスキャンＰＣ１２の画面に表示される（ＳＨ１６）。
【０１０３】
「読込継続」が選択されると、スキャンがさらに実行される（ＳＨ１８）。
【０１０４】
引き続き読み込みイメージはスキャンＰＣ１２の画面に表示される（ＳＨ２０）。
【０１０５】
さらに、スキャナ読込結果が画面表される（ＳＨ２２）。続いて画面表示ボタン選択の待ち受けとなる（ＳＨ２４）。ここで、「転送」処理が選択された場合は、転送処理がなされる（ＳＨ２６）。
【０１０６】
「印刷」ボタンが選択されることで印刷・転送選択（ＳＨ２８）が実行される。また、「中止」ボタンが選択されると処理中止となる。印刷中止処理は（ＳＨ３０）に示される。
【０１０７】
ここで、さらに印刷・転送選択が実行されて印刷処理が為され（ＳＨ３２）、転送処理によって、管理ＰＣ一時領域１７に転送される（ＳＨ３４）。
【０１０８】
第九に読込イメージをデータ分割プログラム９８で分割されたように分割する分割イメージ作成プログラムを図１５に示す。
【０１０９】
分割イメージ作成プログラムは、その内部に含まれるファイル監視プログラムがファイルサーバ４に設けられたナビゲーション情報ファイル３４にデータ分割プログラム９８の生成した位置座標情報と設問情報の定義ファイルを読込み管理ＰＣの一時ディスクに格納する（ＳＩ４）。
【０１１０】
続いてファイル作成監視プログラムが、解答読込プログラム１３０によって格納された答案用紙のイメージデータを読込む（ＳＩ６）。
【０１１１】
ここで、採点方式が分割イメージ方式である場合は、ＳＩ４工程における位置座標情報と設問情報の定義ファイルに従って、ＳＩ６工程の答案用紙のイメージデータを分割して、管理ＰＣの一時領域に分割イメージ１９として格納する。続いて一時領域で生成した分割イメージ等をデータベースに格納する工程である（ＳＩ１０）。
【０１１２】
具体的にはイメージ読込プログラムが、管理ＰＣの一時領域の分割イメージ１９を読み込みする（ＳＩ１２）。
【０１１３】
さらに、イメージデータ格納プログラムが、前記分割イメージ１９を採点者マスタ３６に採点者ごとに蓄積保管する（ＳＩ１４）。また、分割指示がなされていない場合は、分割しない解答イメージを採点者マスタ３６に格納し、グループ分割の場合は、グループ分割情報を採点者マスタ３６に格納する。
【０１１４】
ここで、データを分割して１問分の解答を複数人数分集計した画面を図３２に、グループ単位で解答を複数人数分集計した画面を図３３に、データを分割して自動採点用に模範解答と対比させて１問分の解答を複数人数分集計した画面を図３４に示す。
【０１１５】
本工程により答案用紙の解答を総て分割またはグループ分割することができる。
【０１１６】
第十に上記採点者マスタ３６に格納された解答イメージが専用採点端末１８で採点される工程を制御する採点プログラムを図１６、１７に示す。
【０１１７】
専用採点端末１８の電源スイッチが起動されると、採点プログラムが専用採点端末１８を起動させる（ＳＪ２）。
【０１１８】
採点プログラムは、専用採点端末１８の液晶画面８４にログイン用ＩＤとパスワードを入力する画面をメモリから読込んで表示させる（ＳＪ４）。
【０１１９】
ここで、採点プログラムは、入力されたＩＤとパスワードから採点者マスタ３６に格納されているＩＤ情報にアクセスして格納されているパスワードと入力されたパスワードと対比して認証する（ＳＪ６）。認証した結果一致しない場合は、不正表示してログイン画面を再表示する（ＳＪ１０）。
【０１２０】
認証した結果一致した場合には、採点プログラムはマスターテーブルのダウンロード指示信号を送信して専用採点端末１８にマスターテーブルがダウンロードするように設定される（ＳＪ８）。
【０１２１】
専用採点端末１８へマスターテーブルがダウンロード完了すると、採点プログラムはその画面に採点未完了のテストについての学年、課目、テスト記号、区分、グループ番号、教室記号、採点枚数、答案用紙の状態情報が表示する（ＳＪ１２）。
【０１２２】
続いてここで、未完了データの一項目を選択すると、選択データの答案用紙情報、すなわち、教室別ＩＤと、室生区分と分担区分を専用採点端末１８の画面に表示する（ＳＪ１４）。
【０１２３】
選択データを決定すると採点プログラムは、採点マスタ３６へデータを検索し（ＳＪ１６）、イメージデータを専用採点端末１８にダウンロードする（ＳＪ１８）。さらに、図１７において室生区分記号と受験番号を表示する受験番号確認画面を専用採点端末１８の画面に表示する（ＳＪ２０）。確認ボタンが選択されると採点プログラムは、受験番号確認画面を消去して、答案イメージを専用採点端末１８の画面上にナビマーカと共に表示する（ＳＪ２２）。ナビマーカの表示を図３０に示す。ナビマーカは、ナビゲーション情報ファイル３４に格納された問題の若い順序で未採点のものを示すマーカである。採点がなされるとその旨が記録されると共に次の未採点問題の回答部分の上部に例えば丸印等のマークを表示させる。
【０１２４】
続いて採点入力待ち受け画面が専用採点端末１８の画面に表示される（ＳＪ２４）。ここでは、保留ボタンと、評点ボタンと、戻るボタンのいずれかが選択される（ＳＪ２６）。保留ボタンが選択された場合は、採点が一時停止される（ＳＪ２８）。
【０１２５】
また、評点ボタンが選択された場合は、評点入力画面が専用採点端末１８の画面に表示される（ＳＪ３０）。
【０１２６】
第１１に、戻るボタンが選択された場合は、戻り採点対応としてＳＪ３２がなされる。詳細を図１８乃至２０に示される。
【０１２７】
続いて、誤答入力プログラムは専用採点端末１８の画面にそれぞれ採点入力待ち受け画面を表示し、ナビマーカもまた表示する（ＳＫ２）。
【０１２８】
続いて正答か誤答かの待ち受け状態となる（ＳＫ４）。正答である場合は、採点キーに正答表示すると共に回答に正答マークを専用採点端末１８の画面に表示する（ＳＫ１０）。
【０１２９】
一方、誤答である場合は、保留か採点かの待ち受け状態となる（ＳＫ８）。保留が選択された場合は、保留画面が表示され、回答に保留マークを専用採点端末１８の画面に表示する（ＳＫ１２）。さらに、誤答入力プログラムは採点入力待ち受けとなる（ＳＫ１４）。一方、誤答であって採点することが選択された場合は、採点キーに誤答表示がなされ回答画面に誤答マークを表示する（ＳＫ１８）。その後、誤答入力プログラムは採点入力待ち受けとなる（ＳＫ２０）。
【０１３０】
その後、誤答入力プログラムは回答イメージ当りの未採点回答の有無を判定する（ＳＫ２２）。未採点問題がある場合は、（ＳＫ２）工程に戻る。
【０１３１】
一方、未採点が無い場合は、採点完了と保留の有無を表示する（ＳＫ２４）。
【０１３２】
続いて図１９に示すように採点結果が表示される。この場合、修正待ち受け状態となる（ＳＫ２６）。誤答入力プログラムは続いて採点結果を画面表示する。誤答入力プログラムは同時に採点者の修正の待ち受け画面を表示する（ＳＫ２６）。
【０１３３】
修正入力の有無の指示待ちがなされる（ＳＫ２８）。修正がある場合は、修正が入力されて修正結果を専用採点端末１８の画面に表示する（ＳＫ３０）。
【０１３４】
修正入力が無い場合は、登録予告表示を専用採点端末１８に表示する。登録予告表示は、実際の採点完了の画面を表示する。表示データは採点端末記憶に格納される（ＳＫ３２）。
【０１３５】
続いて未登録答案の有無の確認判定ボタン待ちが表示される（ＳＫ３４）。未登録答案がある場合は、ＳＫ２工程に戻る。
【０１３６】
一方、未登録答案の有無の確認判定ボタンにおいて未登録答案がある場合は、袋単位登録予告表示を専用採点端末１８の画面に表示する（ＳＫ３６）。袋単位登録予告表示を図３１に示す。
【０１３７】
さらに、図２０に示すように誤答入力プログラムは、採点が完了した採点結果データを採点者マスタ３６に採点ファイルとして生成して格納する（ＳＫ３８）。採点ファイルは、問題番号に対する採点結果と受験者番号とを備える。ここで、誤答入力プログラムは、採点結果について受験者番号の重複の有無を検出する。検出された場合は、重複した受験者番号をエラーテーブル５０に格納する（ＳＫ４２）。
【０１３８】
誤答入力プログラムは、エラーチェックの完了したデータを採点ファイル６４に格納する（ＳＫ４６）。
【０１３９】
また、誤答入力プログラムは、採点結果イメージをアドビ社のファイル形式であるＰＤＦファイルに変換してＰＤＦファイル６２に格納する（ＳＫ４８）。
【０１４０】
第１２に採点時に点数評価が必要な場合の入力プログラムである評点入力プログラムを図２１に示す。採点プログラム(図１７）において採点入力待受画面（ＳＪ２４）において評点入力画面となった場合に相当する（ＳＪ３０）。まず、評点入力プログラムは評点入力画面を専用採点端末１８の画面に表示する（ＳＬ２）。評点入力部に採点者が評点を入力するのを待ち受ける（ＳＬ４）。採点者によって評点入力画面上の確認ボタンが選択されると一時データとして保存される（ＳＬ８）。
【０１４１】
第１３に、管理ＰＣ１６において、採点結果をテキストデータとして格納する採点ファイルプログラムのフローチャートを図２２に示す。
【０１４２】
まず、管理画面表示において採点ファイル作成ボタンが選択される（ＳＭ２）。採点ファイルプログラムが起動して、採点ファイル作成入力画面が管理パソコン画面上に表示される（ＳＭ４）。採点ファイル作成入力画面では、試験実施日、教室コード、学年、科目、テストパターン、室生区分、受験番号の入力が待ちうけ状態となる（ＳＭ６）。
【０１４３】
採点ファイルプログラムは、入力後に作成開始ボタン待ち受けとなる（ＳＭ８）。作成開始指示がない場合は、（ＳＭ８）工程を繰り返す。
【０１４４】
作成開始指示ボタンが選択された場合は、採点ファイルプログラム受験者番号重複チェックを実行させ、その結果を答案採点結果５６と、エラーテーブル５０に登録する（ＳＭ１０）。
【０１４５】
その後、採点ファイルプログラムは、採点ファイルのヘッダとしてヘッダ・データを作成して採点ファイル６４として格納する（ＳＭ１２）。
【０１４６】
続いて、第１３にＰＤＦ作成フローチャートを図２３に示す。
【０１４７】
まず、管理画面表示においてＰＤＦファイル作成ボタンが選択される（ＳＮ２）。ＰＤＦファイルプログラムが起動して、ＰＤＦファイル作成入力画面が管理パソコン画面上に表示される（ＳＮ４）。ＰＤＦファイル作成入力画面では、試験実施日、教室コード、学年、科目、テストパターン、室生区分、受験番号の入力が待ちうけ状態となる（ＳＮ６）。
【０１４８】
ＰＤＦファイルプログラムは、入力後に作成開始ボタン待ち受けとなる（ＳＮ８）。作成開始指示がない場合は、（ＳＮ８）工程を繰り返す。
【０１４９】
作成開始指示ボタンが選択された場合は、答案採点結果／問題採点結果を答案採点結果５６に登録する（ＳＮ１０）。
【０１５０】
さらに採点後のイメージデータを変換してＰＤＦファイルに変換してＰＤＦ６２ファイルとして格納する（ＳＮ１２）。
【０１５１】
第１４に、管理ＰＣ１６において、ＰＤＦファイルで保存される回答データを印刷するＰＤＦ印刷プログラムのフローチャートを図２４に示す。
【０１５２】
まず、管理画面表示においてＰＤＦ印刷ボタンが選択される（ＳＯ２）。ＰＤＦ印刷プログラムが起動して、ＰＤＦ印刷入力画面が管理パソコン画面上に表示される（ＳＯ４）。ＰＤＦ印刷入力画面では、試験実施日、教室コード、学年、科目、テストパターン、室生区分、受験番号の入力が待ちうけ状態となる（ＳＯ６）。
【０１５３】
さらに、指定プリンタ名、用紙設定情報入力が待受け状態となる（ＳＯ８）。
【０１５４】
ＰＤＦ印刷プログラムは、入力後に作成開始ボタン待ち受けとなる（ＳＯ１０）。作成開始指示がない場合は、（ＳＯ１０）工程を繰り返す。
【０１５５】
作成開始指示が選択されると、ＰＤＦ印刷プログラムは、指定されたＰＤＦファイルをＰＤＦファイル６２から読込む（ＳＯ１２）。その後、管理ＰＣ１６に接続するプリンタより指定されたＰＤＦファイルを印刷する（ＳＯ１４）。
【０１５６】
第１５に、管理ＰＣ１６において、採点の実施状況を一覧する採点進捗プログラムのフローチャートを図２５に示す。
【０１５７】
まず、管理画面表示において採点進捗ボタンが選択される（ＳＰ２）。採点進捗プログラムが起動して、採点ファイル６４にアクセスして各採点対象問題の採点の進行状況が管理パソコン画面上に表示される（ＳＰ４）。試験実施日毎の学年と科目毎に答案枚数と採点済み枚数を横棒グラフで表示する。さらに各項目についてリスト表示するか否かを選択するリスト表示ボタンが画面上に設けられる。リスト表示ボタンが選択されるまでは、入力待ち受け状態となる（ＳＰ６）。リスト表示ボタンが選択されると、さらに、試験実施日、教室コード、学年、科目、テストパターン、室生区分と採点状況を含めた一覧表が画面上に表示される（ＳＰ８）。
【０１５８】
第１６に管理ＰＣ１６において、答案用紙のＰＤＦファイル化の実施状況を一覧するＰＤＦ進捗プログラムのフローチャートを図２６に示す。
【０１５９】
まず、管理画面表示においてＰＤＦ進捗ボタンが選択される（ＳＱ２）。ＰＤＦ進捗プログラムが起動して、ＰＤＦファイル６２にアクセスして各回答用紙のＰＤＦ変換工程の進行状況すなわち、ＰＤＦ変換完了枚数が管理パソコン画面上に表示される（ＳＱ４）。試験実施日毎の学年と科目毎に答案枚数とＰＤＦ変換完了を横棒グラフで表示する。さらに各項目についてリスト表示するか否かを選択するリスト表示ボタンが画面上に設けられる。リスト表示ボタンが選択されるまでは、入力待ち受け状態となる（ＳＱ６）。リスト表示ボタンが選択されると、さらに、試験実施日、教室コード、学年、科目、テストパターン、室生区分と採点状況を含めた一覧表が画面上に表示される（ＳＱ８）。さらに、リストの各項目を選択した状態でダブルクリック選択待ちうけ状態となる（ＳＱ１０）。ここで、ダブルクリックが為されると、個別明細表示画面が表示される。ここでは、既にＰＤＦ化されたデータの受験番号の一覧が表示される（ＳＱ１２）。
【０１６０】
第１７に管理ＰＣ１６において、採点の確認が完了し修正等の採点等の作業が総て完了しデータを固定する採点確定プログラムのフローチャートを図２７に示す。
【０１６１】
まず、管理画面表示において採点確定ボタンが選択される（ＳＲ２）。採点確定プログラムが起動して、試験実施日と未確定テストの学年、科目、テストパターン、状態を示す表示が管理パソコン画面上に表示される（ＳＲ４）。
【０１６２】
異なる日を希望する場合は、その日の試験実施日を入力することができる（ＳＲ６）。さらに、テストも指定可能である（ＳＲ８）。引き続き確定・取消ボタン待ち受け画面となる（ＳＲ１０）。ここで、採点を確定する場合は、指定テスト確認と、テスト状態書き込データベースに格納する（ＳＲ１２）。一方、取消ボタンが選択された場合は、確定選択が解除される（ＳＲ１４）。
【０１６３】
第１８に、エラーを確認表示するエラー確認プログラムのフローチャートを図２８に示す。
【０１６４】
まず、管理画面表示においてエラー確認ボタンが選択される（ＳＳ２）。エラー確認プログラムが起動して、エラーテーブル５０から、受験番号エラーについて、受験番号と、学年、科目、テストパターンと、教室と、室生区分と、採点結果と、受験番号読込んで画面上に表示される（ＳＳ４）。
【０１６５】
以上のように構成することで、試験終了後の採点結果集計を高速で行なうことのできる高速採点集計システムを採用することで、複数の拠点で試験が実施された場合にも解答用紙を移動することなく採点に着手でき、さらに採点計画に従って複数の採点端末での採点を同時並行で行なうことができるため採点時間の短縮を図ることができる。
【産業上の利用可能性】
【０１６６】
本実施例では、小学校の主要科目を対象とするテストを例に示したが、他の学校や資格試験等その他の試験に採用することで大量の解答用紙を採点し、集計することが容易となる。
【図面の簡単な説明】
【０１６７】
【図１】本発明に係る高速採点集計システムのブロックダイヤグラムである。
【図２】本発明に係る高速採点集計システムのファイルサーバ内のデータ構造である。
【図３】本発明に係る高速採点集計システムのデータベースサーバ内のデータ構造である。
【図４】本発明に係る高速採点集計システムの専用採点端末のブロックダイヤグラムである。
【図５】本発明に係る高速採点集計システムの管理メニュープログラムのメニュー画面である。
【図６】本発明に係る高速採点集計システムのデータ分割プログラムのフローチャートである。
【図７】本発明に係る高速採点集計システムのアップロードプログラムのフローチャートである。
【図８】本発明に係る高速採点集計システムの採点グループ登録プログラムのフローチャートである。
【図９】本発明に係る高速採点集計システムの採点者登録プログラムのフローチャートである。
【図１０】本発明に係る高速採点集計システムのテスト登録プログラムのフローチャートである。
【図１１】本発明に係る高速採点集計システムの採点計画プログラムのフローチャートである。
【図１２】本発明に係る高速採点集計システムの解答登録プログラムのフローチャートである。
【図１３】本発明に係る高速採点集計システムの解答読込プログラムのフローチャートである。
【図１４】本発明に係る高速採点集計システムの解答読込プログラムのフローチャートである。
【図１５】本発明に係る高速採点集計システムの分割イメージ作成プログラムのフローチャートである。
【図１６】本発明に係る高速採点集計システムの採点プログラムのフローチャートである。
【図１７】本発明に係る高速採点集計システムの採点プログラムのフローチャートである。
【図１８】本発明に係る高速採点集計システムの誤答入力プログラムのフローチャートである。
【図１９】本発明に係る高速採点集計システムの誤答入力プログラムのフローチャートである。
【図２０】本発明に係る高速採点集計システムの誤答入力プログラムのフローチャートである。
【図２１】本発明に係る高速採点集計システムの採点入力プログラムのフローチャートである。
【図２２】本発明に係る高速採点集計システムの採点ファイルプログラムのフローチャートである。
【図２３】本発明に係る高速採点集計システムのＰＤＦ作成プログラムのフローチャートである。
【図２４】本発明に係る高速採点集計システムのＰＤＦ印刷プログラムのフローチャートである。
【図２５】本発明に係る高速採点集計システムの採点進捗プログラムのフローチャートである。
【図２６】本発明に係る高速採点集計システムのＰＤＦ進捗プログラムのフローチャートである。
【図２７】本発明に係る高速採点集計システムの採点確定プログラムのフローチャートである。
【図２８】本発明に係る高速採点集計システムのエラー確認プログラムのフローチャートである。
【図２９】本発明に係る高速採点集計システムのデータ分割プログラムの画面表示例である。
【図３０】本発明に係る高速採点集計システムの採点プログラム実行時の採点画面とナビマーカを示す採点画面例である。
【図３１】本発明に係る高速採点集計システムの誤答入力プログラム実行時の袋単位登録予告表示例である。
【図３２】本発明に係る高速採点集計システムのデータ分割プログラム実行時に１問分の解答を複数人数分集計した画面である。
【図３３】本発明に係る高速採点集計システムのデータ分割プログラム実行時にグループ単位で解答を複数人数分集計した画面である。
【図３４】本発明に係る高速採点集計システムのデータ分割プログラム実行時に自動採点用に模範解答と対比させて１問分の解答を複数人数分集計した画面である。
【符号の説明】
【０１６８】
２  高速採点集計システム
４  ファイルサーバ
６  データサーバ
８  アプリケーションサーバ
１０  ネットワークハードディスク
１２、１４  スキャンＰＣ
１３、１５  スキャナ装置
１６  管理ＰＣ
１７  管理ＰＣ一時領域メモリ
１８、２０  専用採点端末
１９  分割イメージ
２２  インターネット
２４  運用設定定義ファイル
２６  ネットワーク設定ファイルマスタ
２８  採点設定マスタファイル
３０  配点設定マスタファイル
３２  教室マスタファイル
３４  ナビゲーション情報ファイル
３６  採点者マスタ、
３８  採点グループマスタ
４０  採点計画マスタ
４２  テスト／テスト状態ファイルマスタ
４４  問題個別マスタ
４６  ネットワーク設定マスタ
５０  エラーテーブル
５２  採点設定マスタファイル
５６  答案採点結果／問題採点結果
５８  教室マスタ
６０  配点設定管理マスタ
６２  問題位置マスタ
６４  採点ファイル
６６  問題基本マスタ
７０  採点者マスタ
７２  管理プログラム
８０  専用採点端末本体
８２  ＣＰＵ
８４  液晶画面
８６  タッチパネル
９０  印刷部
９２  １０キー＋○、×、レ、実行、矢印キーボード
９４  ネットワーク接続装置
９６  ＨＤＤ
９８  データ分割プログラム
１００  管理メニュープログラム
１０２  解答読込プログラム
１０４  採点プログラム
１０６  誤答入力プログラム
１０８  評点入力プログラム
１１８  試験実施日
１２０  アップロードプログラム
１２２  採点グループ登録・削除プログラム
１２４  採点者登録・削除プログラム
１２６  テスト登録・削除プログラム
１２８  採点計画プログラム
１３０  解答登録プログラム
１３２  採点ファイル作成プログラム
１３４  ＰＤＦ作成プログラム
１３６  ＰＤＦ印刷プログラム
１３８  採点進捗照会プログラム
１４０  ＰＤＦ進捗照会プログラム
１４２  採点確定・取消プログラム
１４４  動作環境設定プログラム
１４６  終了
【図１】
2007322748.tif 000003
【図２】
2007322748.tif 000004
【図３】
2007322748.tif 000005
【図４】
2007322748.tif 000006
【図５】
2007322748.tif 000007
【図６】
2007322748.tif 000008
【図７】
2007322748.tif 000009
【図８】
2007322748.tif 000010
【図９】
2007322748.tif 000011
【図１０】
2007322748.tif 000012
【図１１】
2007322748.tif 000013
【図１２】
2007322748.tif 000014
【図１３】
2007322748.tif 000015
【図１４】
2007322748.tif 000016
【図１５】
2007322748.tif 000017
【図１６】
2007322748.tif 000018
【図１７】
2007322748.tif 000019
【図１８】
2007322748.tif 000020
【図１９】
2007322748.tif 000021
【図２０】
2007322748.tif 000022
【図２１】
2007322748.tif 000023
【図２２】
2007322748.tif 000024
【図２３】
2007322748.tif 000025
【図２４】
2007322748.tif 000026
【図２５】
2007322748.tif 000027
【図２６】
2007322748.tif 000028
【図２７】
2007322748.tif 000029
【図２８】
2007322748.tif 000030
【図２９】
2007322748.tif 000031
【図３０】
2007322748.tif 000032
【図３１】
2007322748.tif 000033
【図３２】
2007322748.tif 000034
【図３３】
2007322748.tif 000035
【図３４】
2007322748.tif 000036